(57)【特許請求の範囲】
【請求項１】
台所の壁面の上方位置に取り付けられる外筐体と、この外筐体に内蔵される収納庫とで形成され、この収納庫が外筐体の前側下方の使用位置に回動して配置自在に形成された台所用回動昇降式アッパーキャビネットであって、上記収納庫の回動動作を自動化する昇降機構を備え、この昇降機構が、外筐体に設けられた可逆モータと、この可逆モータの回転力を収納庫の昇降動作に変換する伝動部材と、又上記の可逆モータを制御するためのコントローラとで形成され、このコントローラが、収納庫の上昇時、外筐体の直前で収納庫を一旦停止させるためのセンサを備えてなることを特徴とする台所用回動昇降式アッパーキャビネット。
【発明の詳細な説明】
【０００１】
【発明の属する技術分野】
本発明は、台所用のキャビネットに関し、更に詳しくは台所の流し台、レンジ台等の上方の壁面に取り付けて使用する台所用回動昇降式アッパーキャビネットに関するものである。
【０００２】
【従来の技術】
従来この種のキャビネットとしては、例えば台所の壁面の上方位置に取り付ける外筐体と、この外筐体に内蔵させた収納庫とで形成し、この収納庫の下部に把手用のバーを横架し、このバーを利用して収納庫を外筐体の前側下方の使用位置に回動可能に形成したものがある。
【０００３】
【発明が解決しようとする課題】
ところでこの種のキャビネットは、使用時に収納庫を前方に下降させ、使用後は後方上部に復帰させる、という煩わしい操作を伴うものである。従ってこの種のキャビネットは、収納庫の配置操作を簡便化、容易化でき、例えば高齢者等にも使い勝手が良くなるよう形成されているのが望ましい。
【０００４】
しかるに従来品は、上記の通り、収納庫の下部に設けたバーを把持し、手動で収納庫を引き降ろし、昇降動作させる仕組みであったから、使用する度にバーを操作して収納庫を上げ下げする煩わしさがあった。
【０００５】
又従来品の場合は、このように手動式であったから、収納庫の積載量が増加すると、その分、重くなって昇降操作しにくくなるのを避けられなかった。
又この種のキャビネットは、収納庫が昇降するため、収納庫と外筐体の前端縁や扉との間で、指や物が挟まれることを防止できるよう形成されているのが望ましい。
【０００６】
本発明は、このような従来品の問題点に鑑み、提案されたものである。
従って本発明の技術的課題は、収納庫の上げ下げに要する労力を軽減化し、使い勝手を良くすると共に、積載量、積載荷重を大幅にアップでき、しかも安全に使用できるよう形成した台所用回動昇降式アッパーキャビネットを提供することにある。
【０００７】
【課題を解決するための手段】
本発明は、上記の課題を解決するために、次のような技術的手段を採る。
【０００８】
即ち本発明は、図１、図２、図６等に示されるように、台所の壁面の上方位置に取り付けられる外筐体１と、この外筐体１に内蔵される収納庫２とで形成され、この収納庫２が外筐体１の前側下方の使用位置に回動して配置自在に形成された台所用回動昇降式アッパーキャビネットであって、上記収納庫２の回動動作を自動化する昇降機構７を備え、この昇降機構７が、外筐体１に設けられた可逆モータ７１と、この可逆モータ７１の回転力を収納庫２の昇降動作に変換する伝動部材７２と、又上記の可逆モータ７１を制御するためのコントローラ７３とで形成され、コントローラ７３が、収納庫２の上昇時、外筐体１の直前で収納庫２を一旦停止させるためのセンサ７３ａを備えてなることを特徴とする（請求項１）。
【０００９】
ここで外筐体１とは、収納庫２の納まる箇所を意味し、ケース状には限られず、例えば枠状でも良い。又本発明の場合、収納庫２は、通常、高さ調節可能な棚板２ａを複数備えてなるのが好ましい。昇降機構７を構成する可逆モータ７１は、その駆動停止により収納庫２の落下を防止できるよう、ブレーキ付きであるのが好ましい。又伝動部材７２としては、可逆モータ７１で巻取り巻戻し自在に形成されたベルトやワイヤ、或いは歯車による伝動機構がある。コントローラ７３は、通常、図２に示されるように、各スイッチ類からの信号を受けて予め設定された手順で信号を出力する制御回路７３ｅと、この制御回路７３ｅからの信号により可逆モータ７１を駆動させる駆動回路７３ｆ等を備えてなる。センサ７３ａとしては、例えば光電スイッチやリミットスイッチ等がある。
【００１０】
【発明の実施の形態】
以下、本発明の好適な一実施形態を添付図面に従って説明する。
【００１１】
図１等において、１は台所の壁面の上方位置に取り付けられる外筐体である。この外筐体１は、前面開口状の箱形に形成されると共に、観音扉１ａを備えてなる。
【００１２】
２は、外筐体１に内蔵される収納庫である。この収納庫２は、外筐体１の前側下方の使用位置に回動して配置されるものである。収納庫２は、その両側に配設されたリンク部材３を介して外筐体１に取り付けられている。リンク部材３の下部は、外筐体１の側板に固定された金属枠４に軸５ａで枢着されている。又上部は、収納庫２の側壁上部に固定された金属プレート３ａに軸５ｂで枢着されている。なお３ｂは、リンク部材３を傾倒時に支承する受けローラである。
【００１３】
又６は、収納庫２が下降回動する際、リンク部材３の下端を牽引し、軸５ａを中心に収納庫２を下降回動させるためのコイルバネである。このコイルバネ６は、収納庫２の両側に設けられている。
【００１４】
上記の収納庫２は、高さが調節可能に形成された例えば樹脂製等の棚板２ａを複数備えてなる。この棚板２ａの内、最下段の棚板２ａ1は、図８に示されるように、側板２ｂにネジ２ｃで止め付けられ、ネジ２ｃの着脱操作により取り外し自在に形成されている。後述する昇降機構７の修理等は、収納庫２が外筐体１に納まっているときは最下段の棚板２ａ1を取り外して行なうものである。又最下段の棚板２ａ1は、収納品から漏れた液体等を捕集できるよう、この実施形態では上面開口状の浅い箱形に形成されている。
【００１５】
又収納庫２は、最下段の棚板２ａ1の下方で且つ前側の下部位置に、収納部２ｄを備えてなる。この収納部２ｄは、収納庫２の横方向の全長にわたって前面が開口状に形成されている。
【００１６】
７は、収納庫２の回動動作を自動化する昇降機構である。この昇降機構７は、ブレーキ付きの可逆モータ７１と、この可逆モータ７１の回転力を収納庫２の昇降動作に変換する伝動部材７２と、又上記の可逆モータ７１を制御するためのコントローラ７３とで形成されている。
【００１７】
上記の可逆モータ７１は、収納庫２が外筐体１に納められたとき、収納部２ｄの後方にあたる外筐体１の内部位置に設けられている。７１ａは、可逆モータ７１により正逆回転する糸巻部である。
【００１８】
上記の伝動部材７２は、この実施形態ではベルトで形成されている。この伝動部材７２としてのベルトは、収納庫２の背面上部の横方向における中央位置を介して、一端７２ａがこの中央位置に対応する外筐体１の内部上部位置に固定されている。又ベルトの他端７２ｂは、外筐体１の内部上部位置の下方に、軸を横にして設けられたプーリ７２ｃを介して糸巻部７１ａに固定され、可逆モータ７１で巻取り巻戻し自在に形成されている。
【００１９】
コントローラ７３は、図２、図７等に示されるように、収納庫２の上昇時、外筐体１の直前で収納庫２を一旦停止させるためのセンサ７３ａを備えてなる。このセンサ７３ａは、この実施形態では光電スイッチで構成されている。７３ｂは収納庫２を上昇させるための上昇スイッチであり、７３ｃは下降させるための下降スイッチである。これらの各スイッチ７３ｂ、７３ｃは、この実施形態では収納庫２の前側下部の片側に設けられ、又下降スイッチ７３ｃは手動操作自動復帰接点式に形成されている。
【００２０】
又コントローラ７３は、緊急時に可逆モータ７１の駆動を停止させるための緊急停止スイッチ７３ｄと、収納庫２の最下位位置を決定するためのリミットスイッチＬＳ１と、上昇後、収納庫２が外筐体１に納まったとき停止させるためのリミットスイッチＬＳ２とを備えてなる。
【００２１】
又コントローラ７３は、図２に示されるように、センサ７３ａ等からの信号を受け、予め設定された手順で信号を出力する制御回路７３ｅと、この制御回路７３ｅからの信号により可逆モータ７１を駆動させる駆動回路７３ｆを備えてなる。制御回路７３ｅと駆動回路７３ｆは、可逆モータ７１に隣接して配設されたコントロールボックス７３ｇ（図３、図４参照）に収納されている。
【００２２】
センサ７３ａは、この実施形態ではリンク部材３を検出すると、その検知信号を制御回路７３ｅに送信する。上記のリミットスイッチＬＳ１、ＬＳ２は、リンク部材３の下部でオンオフ制御されるよう、外筐体１の内側部の適宜位置に設けられている。又緊急停止スイッチ７３ｄは、上昇スイッチ７３ｂ、下降スイッチ７３ｃに隣接して収納庫２の前側下部の片側に設けられている。又この実施形態では、プーリ７２ｃの下方適宜位置に伝動部材７２としてのベルトの撓みを検知するための検知手段ＬＳ３としてのリミットスイッチが設けられている。
【００２３】
次に本発明の作用を、図９に従って説明する。
【００２４】
先ず使用者が下降スイッチ７３ｃを押すと、可逆モータ７１が駆動し伝動部材７２としてのベルトを巻戻す。するとコイルバネ６が、図５においてリンク部材３の下端を、右上方に牽引する。その結果、リンク部材３が軸５ａを中心に反時計方向に回転し、軸５ａを通る垂線を越えると、ベルトで規制されながら自重で徐々に下降する。
【００２５】
そしてこの実施形態の本発明では、下降スイッチ７３ｃが押されている間は可逆モータ７１が駆動し、収納庫２が降下を続ける。下降スイッチ７３ｃから手指が離されると、可逆モータ７１が停止し、収納庫２が任意の位置に停止する。なお収納庫２は、図６に示されるように、予め選定された最下位の位置に到達すると、リミットスイッチＬＳ１がオンになり、この検知信号を受けて可逆モータ７１の駆動が停止し、それ以上の降下が防止される。
【００２６】
次に収納庫２を上昇させる場合について説明する。
先ず使用者が、上昇スイッチ７３ｂを押すと、可逆モータ７１が逆回転し、伝動部材７２としてのベルトが巻取られる。この結果収納庫２は、ベルトで上方に引かれ、リンク部材３で規制されながら、図６において軸５ａを中心に時計方向に回動し上昇する。センサ７３ａが、リンク部材３を検知すると、手指等の挟み込み事故を防止するため、その検知信号を受けて可逆モータ７１の駆動が停止する。この結果収納庫２が、図７に示されるように、外筐体１の直前に停止する。
【００２７】
その後、使用者が、再度上昇スイッチ７３ｂを押すと、可逆モータ７１が再始動してベルトを巻取り、その結果収納庫２が上昇する。そしてリミットスイッチＬＳ２がオンになると、この検知信号を受けて可逆モータ７１の駆動が停止する。これにより収納庫２が、外筐体１に完全に収納される（図５の状態参照）。
【００２８】
【発明の効果】
以上説明したように本発明は、上記のように形成した昇降機構を備え、この昇降機構により収納庫を自動で昇降できるものである。
従って本発明によれば、収納庫を昇降操作するための労力を軽減化できるから、使い勝手が良くなり、又収納庫の積載量、積載荷重を大幅にアップできる。
又本発明は、コントローラが、収納庫の上昇時、外筐体の直前で収納庫を一旦停止させるためのセンサを備えてなる。従ってこれによれば、収納庫と外筐体の前端縁や扉との間で、指や物が挟まれることを防止でき、安全性を高めることができる。
【図面の簡単な説明】
【図１】  本発明キャビネットの好適な一実施形態を示す使用状態時の斜視図である。
【図２】  同上キャビネットの構成を示すブロック図である。
【図３】  同上キャビネットの開扉時の正面図である。
【図４】  図３のIVーIV線における要部断面図である。
【図５】  図３のＶーＶ線における要部断面図である。
【図６】  同上キャビネットの作用を説明するための要部側面図である。
【図７】  同上キャビネットの作用を説明するための要部側面図である。
【図８】  収納庫の要部斜視図である。
【図９】  同上キャビネットの作用を説明するためのフローチャートである。
【符号の説明】
１    外筐体
２    収納庫
７    昇降機構
７１  可逆モータ
７２  伝動部材
７３  コントローラ
【図１】
0003700517.tif 000002
【図２】
0003700517.tif 000003
【図３】
0003700517.tif 000004
【図４】
0003700517.tif 000005
【図５】
0003700517.tif 000006
【図６】
0003700517.tif 000007
【図７】
0003700517.tif 000008
【図８】
0003700517.tif 000009
【図９】
0003700517.tif 000010